(57)【要約】【課題】各々の筐体が有する表示部をあたかも１つの表示部であるか如くユーザに見せる【解決手段】本発明の情報処理装置は、第１の表示部を有する第１の筐体と、第２の表示部を有する第２の筐体と、第１の筐体に対して第２の筐体を開閉可能に連結させるための連結機構とを有する情報処理装置であって、第１の筐体に対して第２の筐体を開いた状態において、第１の筐体の端部と前記第２の筐体の端部が近接するとともに、連結機構は、第１および第２の筐体の背面に位置する【選択図】      図５
2004272471.tif 000002
【特許請求の範囲】
【請求項１】
第１の表示部を有する第１の筐体と第２の表示部を有する第２の筐体とを、前記第１の筐体に対して前記第２の筐体を開閉可能に連結させるための連結機構であって、前記第１の筐体に対して前記第２の筐体を開いた状態において、前記第１の筐体の端部と前記第２の筐体の端部が近接するとともに、前記連結機構は、前記第１および第２の筐体の背面に位置することを特徴とする筐体同士の連結機構。
【請求項２】
前記連結機構は、前記第１の筐体の背面に設けられた第１の回動支持部材と、前記第２の筐体の背面に設けられた第２の回動支持部材と、前記第１の回動支持部材に対して回動可能な第１の接続部材と、前記第１の接続部材に対して回動可能な第２の接続部材と、前記第２の接続部材に対して回動可能であるとともに前記第２の回動支持部材に対して回動可能な第３の接続部材とを有することを特徴とする請求項１記載の筐体同士の連結機構。
【請求項３】
第１の表示部を有する第１の筐体と、第２の表示部を有する第２の筐体と、前記第１の筐体に対して前記第２の筐体を開閉可能に連結させるための連結機構とを有する情報処理装置であって、前記第１の筐体に対して前記第２の筐体を開いた状態において、前記第１の筐体の端部と前記第２の筐体の端部が近接するとともに、前記連結機構は、前記第１および第２の筐体の背面に位置することを特徴とする情報処理装置。
【請求項４】
前記連結機構は、前記第１の筐体の背面に設けられた第１の回動支持部材と、前記第２の筐体の背面に設けられた第２の回動支持部材と、前記第１の回動支持部材に対して回動可能な第１の接続部材と、前記第１の接続部材に対して回動可能な第２の接続部材と、前記第２の接続部材に対して回動可能であるとともに前記第２の回動支持部材に対して回動可能な第３の接続部材とを有することを特徴とする請求項３記載の情報処理装置。
【請求項５】
前記第１の表示部には、タッチパネル機構またはタブレット機構が積層されていることを特徴とする請求項３または４記載の情報処理装置。
【請求項６】
前記第１の筐体に対して前記第２の筐体を開き、前記第１の筐体の端部と前記第２の筐体の端部が近接するとともに、前記連結機構が、前記第１および第２の筐体の背面に位置した状態において、前記連結機構に取り付けられる固定部材をさらに有することを特徴とする請求項３ないし５のいずれか一に記載の情報処理装置。
【請求項７】
前記固定部材は、前記連結機構上を移動可能であり、該移動により前記情報処理装置の設置面に対する角度を調整することができることを特徴とする請求項６記載の情報処理装置。
【請求項８】
前記固定部材は、前記情報処理装置の周辺機器機能を有することを特徴とする請求項６または７に記載の情報処理装置。
【請求項９】
第１の表示部を有する第１の筐体と、第２の表示部を有する第２の筐体と、前記第１の筐体に対して前記第２の筐体を開閉可能に連結させるための連結機構とを有する表示装置であって、前記第１の筐体に対して前記第２の筐体を開いた状態において、前記第１の筐体の端部と前記第２の筐体の端部が近接するとともに、前記連結機構は、前記第１および第２の筐体の背面に位置することを特徴とする表示装置。
【請求項１０】
前記連結機構は、前記第１の筐体の背面に設けられた第１の回動支持部材と、前記第２の筐体の背面に設けられた第２の回動支持部材と、前記第１の回動支持部材に対して回動可能な第１の接続部材と、前記第１の接続部材に対して回動可能な第２の接続部材と、前記第２の接続部材に対して回動可能であるとともに前記第２の回動支持部材に対して回動可能な第３の接続部材とを有することを特徴とする請求項９記載の表示装置。
【請求項１１】
前記第１の筐体に対して前記第２の筐体を１８０度開き、前記第１の筐体の端部と前記第２の筐体の端部が近接するとともに、前記連結機構が、前記第１および第２の筐体の背面に位置した状態において、前記連結機構に取り付けられる固定部材をさらに有することを特徴とする請求項９または１０記載の表示装置。
【請求項１２】
前記固定部材は、前記連結機構上を移動可能であり、該移動により表示装置の設置面に対する角度を調整することができることを特徴とする請求項１１記載の表示装置。
【請求項１３】
第１の筐体と第２の筐体とを、前記第１の筐体に対して前記第２の筐体を開閉可能に連結させるための連結機構であって、前記第１の筐体に対して前記第２の筐体を開いた状態において、前記第１の筐体の端部と前記第２の筐体の端部が近接するとともに、前記連結機構は、前記第１および第２の筐体の背面に位置することを特徴とする筐体同士の連結機構。
【請求項１４】
前記連結機構は、前記第１の筐体の背面に設けられた第１の回動支持部材と、前記第２の筐体の背面に設けられた第２の回動支持部材と、前記第１の回動支持部材に対して回動可能な第１の接続部材と、前記第１の接続部材に対して回動可能な第２の接続部材と、前記第２の接続部材に対して回動可能であるとともに前記第２の回動支持部材に対して回動可能な第３の接続部材とを有することを特徴とする請求項１３記載の筐体同士の連結機構。
【請求項１５】
第１の筐体と、第２の筐体と、前記第１の筐体に対して前記第２の筐体を開閉可能に連結させるための連結機構とを有する情報処理装置であって、前記第１の筐体に対して前記第２の筐体を開いた状態において、前記第１の筐体の端部と前記第２の筐体の端部が近接するとともに、前記連結機構は、前記第１および第２の筐体の背面に位置することを特徴とする情報処理装置。
【請求項１６】
前記連結機構は、前記第１の筐体の背面に設けられた第１の回動支持部材と、前記第２の筐体の背面に設けられた第２の回動支持部材と、前記第１の回動支持部材に対して回動可能な第１の接続部材と、前記第１の接続部材に対して回動可能な第２の接続部材と、前記第２の接続部材に対して回動可能であるとともに前記第２の回動支持部材に対して回動可能な第３の接続部材とを有することを特徴とする請求項１５記載の情報処理装置。
【発明の詳細な説明】
【０００１】
【発明の属する技術分野】
本発明は、２つの筐体を連結機構により連結させた情報処理装置および表示装置に関する。
【０００２】
【従来の技術】
従来の情報処理装置の一例として特許文献１記載のものがある。特許文献１記載の情報処理装置は、各々表示部を持つ２つの筐体を有し、一方の筐体が他方の筐体に対して開閉可能となるよう連結部が設けられている。
【０００３】
【特許文献１】
特開平１１−６９２１４号公報
【０００４】
【発明が解決しようとする課題】
ところで、特許文献１記載のような情報処理装置では、一方の筐体に対し、他方の筐体を１８０度開いた状態において、各々の筐体が有する表示部をあたかも１つの表示部であるか如くユーザに見せる、というニーズが今後期待される。
【０００５】
しかしながら、特許文献１記載の情報処理装置は、一方の筐体に対し、他方の筐体を１８０度開いた状態では、筐体と筐体の間、すなわち２つの表示部間に連結部が位置する構造となっているため、ユーザが、２つの表示部を１つの表示部としてシームレスに認識することはできない。
【０００６】
そこで、本発明の目的は、各々表示部を持つ２つの筐体を有し、一方の筐体が他方の筐体に対して開閉可能に取り付けられた情報処理装置において、一方の筐体に対し、他方の筐体を開いた状態で、各々の筐体が有する表示部をあたかも１つの表示部であるか如くユーザが認識できるような情報処理装置を提供することにある。また、本発明のより具体的な目的は、一方の筐体に対し、他方の筐体を開いた状態において、筐体同士の距離を近づけることができる筐体の連結構造を持つ情報処理装置を提供することにある。
【０００７】
【課題を解決するための手段】
本発明の筐体同士の連結機構は、第１の筐体と第２の筐体とを、前記第１の筐体に対して前記第２の筐体を開閉可能に連結させるための連結機構であって、前記第１の筐体に対して前記第２の筐体を開いた状態において、前記第１の筐体の端部と前記第２の筐体の端部が近接するとともに、前記連結機構は、前記第１および第２の筐体の背面に位置することを特徴とする。
【０００８】
本発明の筐体同士の連結機構において、前記連結機構が、前記第１の筐体の背面に設けられた第１の回動支持部材と、前記第２の筐体の背面に設けられた第２の回動支持部材と、前記第１の回動支持部材に対して回動可能な第１の接続部材と、前記第１の接続部材に対して回動可能な第２の接続部材と、前記第２の接続部材に対して回動可能であるとともに前記第２の回動支持部材に対して回動可能な第３の接続部材とを有してもよい。
【０００９】
本発明の情報処理装置は、第１の筐体と、第２の筐体と、前記第１の筐体に対して前記第２の筐体を開閉可能に連結させるための連結機構とを有する情報処理装置であって、前記第１の筐体に対して前記第２の筐体を開いた状態において、前記第１の筐体の端部と前記第２の筐体の端部が近接するとともに、前記連結機構は、前記第１および第２の筐体の背面に位置することを特徴とする。
【００１０】
本発明の情報処理装置において、前記連結機構が、前記第１の筐体の背面に設けられた第１の回動支持部材と、前記第２の筐体の背面に設けられた第２の回動支持部材と、前記第１の回動支持部材に対して回動可能な第１の接続部材と、前記第１の接続部材に対して回動可能な第２の接続部材と、前記第２の接続部材に対して回動可能であるとともに前記第２の回動支持部材に対して回動可能な第３の接続部材とを有してもよい。
【００１１】
本発明の情報処理装置において、前記第１の表示部に、タッチパネル機構またはタブレット機構が積層されていてもよい。
【００１２】
本発明の情報処理装置において、前記第１の筐体に対して前記第２の筐体を開き、前記第１の筐体の端部と前記第２の筐体の端部が近接するとともに、前記連結機構が、前記第１および第２の筐体の背面に位置した状態において、前記連結機構に取り付けられる固定部材をさらに有してもよい。
【００１３】
本発明の情報処理装置において、前記固定部材が、前記連結機構上を移動可能であり、該移動により前記情報処理装置の設置面に対する角度を調整することができるようにしてもよい。
【００１４】
本発明の情報処理装置において、前記固定部材が、前記情報処理装置の周辺機器機能を有していてもよい。
【００１５】
本発明の表示装置は、第１の表示部を有する第１の筐体と、第２の表示部を有する第２の筐体と、前記第１の筐体に対して前記第２の筐体を開閉可能に連結させるための連結機構とを有する表示装置であって、前記第１の筐体に対して前記第２の筐体を開いた状態において、前記第１の筐体の端部と前記第２の筐体の端部が近接するとともに、前記連結機構は、前記第１および第２の筐体の背面に位置することを特徴とする。
【００１６】
本発明の表示装置において、前記連結機構は、前記第１の筐体の背面に設けられた第１の回動支持部材と、前記第２の筐体の背面に設けられた第２の回動支持部材と、前記第１の回動支持部材に対して回動可能な第１の接続部材と、前記第１の接続部材に対して回動可能な第２の接続部材と、前記第２の接続部材に対して回動可能であるとともに前記第２の回動支持部材に対して回動可能な第３の接続部材とを有してもよい。
【００１７】
本発明の表示装置において、前記第１の筐体に対して前記第２の筐体を１８０度開き、前記第１の筐体の端部と前記第２の筐体の端部が近接するとともに、前記連結機構が、前記第１および第２の筐体の背面に位置した状態において、前記連結機構に取り付けられる固定部材をさらに有してもよい。
【００１８】
本発明の表示装置において、前記固定部材は、前記連結機構上を移動可能であり、該移動により表示装置の設置面に対する角度を調整することができてもよい。
【００１９】
【発明の実施の形態】
以下、本発明の実施の形態について図面を参照して詳細に説明する。図１は本発明の実施の形態である情報処理装置１を示す図である。図１に示すように、情報処理装置１は、いわゆるノート型パーソナルコンピュータの形状をしている。しかしながら、情報処理装置１は、ノート型パーソナルコンピュータに限定されるものでなく、ＰＤＡや携帯電話であってもよい。
【００２０】
図１を参照すると、情報処理装置１は、筐体１０および筐体２０を有している。筐体１０と筐体２０とは、連結機構３０により接続されている。図２は、連結機構３０周辺の拡大図である。図２を参照すると、連結機構３０は、接続部材３１ないし３３からなる。接続部材３１および３３は、表面が凹凸上に加工されており、ユーザがグリップしやすくなっている。
【００２１】
図３は連結機構３０を詳細に説明するための分解図である。図３では、筐体２０および接続部材３３の図示は省略してあるが、筐体２０および接続部材３３は、それぞれ筐体１０および接続部材３３と対称の形状をしている。
【００２２】
図２および図３を参照すると、筐体１０の背面側には、回動支持部材４１および４３が設けられており、それぞれ筐体１０の迫り出し部１１に取り付けられている。なお、迫り出し部１１より後方、すなわち連結機構３０側では、筐体１０の厚みは、薄くなっている。この点については、筐体２０においても同様である。回動支持部材４１および４３には、接続部材３１が回動可能に取り付けられている。また、接続部材３１には、接続部材３２が回動可能に取り付けられている。また、接続部材３２には、接続部材３３が回動可能に取り付けられている。また、回動支持部材４２および４４（図示せず）には、接続部材３３が回動可能に取り付けられている。なお、接続部材３１には、タッチパネル用のペン１００が収納可能である。ペン１００の代わりにバッテリ等を収納させてもよい。
【００２３】
図４は、筐体２０に対して筐体１０を開いた状態を示す図である。筐体２０は、筐体１０に対して任意の角度で開くことができる。図４を参照すると、筐体１０は例えばＬＣＤであるディスプレイ５１を有する。筐体２０は、例えばＬＣＤであるディスプレイ５２を有する。ディスプレイ５２上にはタッチパネル機構またはタブレット機構が積層されている。なお、ディスプレイ５１および５２の連結機構３０側での淵は、筐体１０および２０の淵にまで最大限に位置している。図４に示す例では、ディスプレイ５２にソフトウェアキーボードが表示されており、ユーザがタッチパネルを指やペンでタッチすることにより情報処理装置１に情報を入力することができる。このときディスプレイ５１は通常のディスプレイとして機能する。すなわち、ユーザは、情報処理装置１を通常のノート型パーソナルコンピュータのように使用することができる。なお、ディスプレイ５２に表示される入力インターフェースは、ソフトウェアキーボードのみに限定されるものではなく、例えば、情報処理装置１で実行されるアプリケーションソフトに適したキーやボタンが選択的に表示されてもいい。また、ディスプレイ５１および５２の双方に、画像を表示させて、電子ブックとして機能させることもできる。なお、本実施の形態では、筐体２０には、ＣＰＵ等、情報処理装置１を制御する、例えば、ディスプレイ５１および５２の入出力制御をするための電子回路が内蔵されている。無論、このような電子回路は、筐体１０に内蔵されてもかまわないし、双方にあってもよい。
【００２４】
図５は、筐体１０と筐体２０とを接近させた状態を示す図である。この状態では、接続部材３１ないし３３が、筐体１０および２０の背後に位置している。すなわち、筐体１０と筐体２０との間に、連結機構３０が位置しないため、ディスプレイ５１および５２が近接する。したがって、ユーザは、ディスプレイ５１とディスプレイ５２とを見かけ上、１枚のディスプレイとして認識し易くなる。この状態は、映画等の映像を鑑賞するとき等に都合がよい。また、この状態では、ユーザは、電子書籍等を閲覧する場合に、２ページにまたがる情報を一度に参照することができる。
【００２５】
ところで、図５に示す状態は、ヒンジのトルクにより保たれている。そこで、図５に示す状態において、さらに、連結機構３０を囲み閉じるような固定部材を着脱自在に取り付けることにより、図５に示す状態を保つことができる。図６は、そのような固定部材を取り付けた図である。図６を参照すると、固定部材６０が、連結機構３０を囲み閉じるように取り付けられている。なお、固定部材６０は、連結機構３０上をスライドさせて取り付けられる。図７（ａ）および（ｂ）を参照すると、この固定部材６０を、取り付け箇所上で上下移動させることにより、情報処理装置１の机上に対する角度を変更することができる。なお、固定部材６０には、光学ディスクドライブの機能や、スピーカの機能等、情報処理装置１のいわゆる周辺機器の機能を設けることもできる。この場合、情報処理装置１および固定部材６０間のデータの送受信は無線により行うことが都合がいい。もちろん、有線により接続してもよい。なお、情報処理装置１および固定部材６０の設置面にゴム等の滑り止め部材をとりつけてもよい。
【００２６】
図８は、情報処理装置１を筐体１０および２０の背面が重なる方向で折り畳んだ状態を示す図である。図８の状態では、ディスプレイ５２をタブレットやタッチパネルとして機能させ、ユーザは、情報処理装置１をいわいるタブレット型パーソナルコンピュータとして使用することができる。
【００２７】
【発明の効果】
このように、本発明によれば、各々表示部を持つ２つの筐体を有し、一方の筐体が他方の筐体に対して開閉可能に取り付けられた情報処理装置において、一方の筐体に対し、他方の筐体を開いた状態で、筐体同士の距離を近づけることができるので、表示部同士を近接させることができる。したがって、ユーザは、各々の筐体が有する表示部をあたかも１つの表示部であるか如く認識することができる。
【図面の簡単な説明】
【図１】図１は、情報処理装置１を示す図である。
【図２】図２は、連結機構３０周辺の拡大図である。
【図３】図３は連結機構３０を詳細に説明するための分解図である。
【図４】図４は、筐体２０に対して筐体１０を開いた状態を示す図である。
【図５】図５は、筐体１０と筐体２０とを接近させた状態を示す図である。
【図６】図６は、情報処理装置に固定部材６０を取り付けた状態を示す図である。
【図７】図７は、固定部材６０を移動させることによる情報処理装置１の傾きの変化を示す図である。
【図８】図８は、情報処理装置１を筐体１０および２０の背面が重なる方向で折り畳んだ状態を示す図である。
【符号の説明】
１：情報処理装置
１０、２０：筐体
３０：連結機構
３１、３２、３３：接続部材
４１、４２、４３、４４：回動支持部材
５１、５２：ディスプレイ
６０：固定部材
【図１】
2004272471.tif 000003
【図２】
2004272471.tif 000004
【図３】
2004272471.tif 000005
【図４】
2004272471.tif 000006
【図５】
2004272471.tif 000007
【図６】
2004272471.tif 000008
【図７】
2004272471.tif 000009
【図８】
2004272471.tif 000010